(57)【要約】【課題】  ユーザが簡単な操作を行うだけで、そのユーザが所望のコンテンツに関する情報を入手することを可能にする情報提供システムを提供する。【解決手段】  格納部２３は、ユーザ端末装置から送信された嗜好データを格納する。リスト生成部２５ａは、格納部２３が嗜好データを格納すると、その嗜好データに応じたコンテンツ情報を検索用ＤＢ２２から検索し、その検索結果に応じたコンテンツリストを生成する。更新通知生成部２５ｄは、検索用ＤＢ２２が更新されると、更新されたコンテンツ情報が格納部２３内の嗜好データに応じている場合、検索用情報変更部２５ｃが変更したコンテンツ情報に応じたコンテンツ更新通知を生成する。通信部２１は、コンテンツリストが生成されるとそのコンテンツリストを携帯電話機に提供し、コンテンツ更新通知が生成されるとそのコンテンツ更新通知を携帯電話機に提供する。【選択図】      図６
2006039930.tif 000002
【特許請求の範囲】
【請求項１】
コンテンツを格納するコンテンツサーバと、ユーザ端末装置と、前記ユーザ端末装置から嗜好を示す嗜好データを受信すると前記コンテンツサーバに格納されているコンテンツの中から前記嗜好データに応じたコンテンツを検索した検索結果を前記ユーザ端末装置に提供する事業者サーバと、を含む情報提供システムであって、
前記事業者サーバは、
前記コンテンツに関するコンテンツ情報を格納する検索用データベースと、
前記嗜好データを受信する受信部と、
前記受信部が受信した嗜好データを格納する格納部と、
前記格納部が前記嗜好データを格納すると、該嗜好データに応じたコンテンツ情報を前記検索用データベースから検索し、その検索結果に応じたコンテンツリストを生成するリスト生成部と、
前記コンテンツの変更を認識する変更認識部と、
前記変更認識部が前記コンテンツの変更を認識すると、その認識したコンテンツの変更に基づいて前記検索用データベース内のコンテンツ情報を変更する変更部と、
前記変更部が変更したコンテンツ情報が、前記格納部が格納している嗜好データに応じている場合、該変更部が変更したコンテンツ情報に応じたコンテンツ更新通知を生成する更新通知生成部と、
前記リスト生成部が前記コンテンツリストを生成すると該コンテンツリストを前記ユーザ端末装置に提供し、前記更新通知生成部が前記コンテンツ更新通知を生成すると該コンテンツ更新通知を該ユーザ端末装置に提供する提供部と、を含む情報提供システム。
【請求項２】
請求項１に記載の情報提供システムにおいて、
前記更新通知生成部は、前記コンテンツ更新通知として、前記変更部が変更したコンテンツ情報のみに応じたコンテンツ更新リストを生成する、情報提供システム。
【請求項３】
請求項２に記載の情報提供システムにおいて、
前記ユーザ端末装置は、
前記コンテンツリストおよび前記コンテンツ更新リストを受信する通信部と、
前記通信部が受信したコンテンツリストを格納するコンテンツリスト格納部と、
前記通信部が前記コンテンツ更新リストを受信すると、前記コンテンツリスト格納部に格納されているコンテンツリストと該コンテンツ更新リストとを組み合わせて表示する表示部と、を含む情報提供システム。
【請求項４】
請求項１に記載の情報提供システムにおいて、
前記更新通知生成部は、前記コンテンツ情報が変更された検索用データベースから、前記格納部が格納している嗜好データに応じたコンテンツ情報を検索し、その検索結果に応じたコンテンツ更新リストを前記コンテンツ更新通知として生成する、情報提供システム。
【請求項５】
請求項１に記載の情報提供システムにおいて、
前記更新通知生成部は、前記コンテンツ更新通知として、変更されたコンテンツを用いる、情報提供システム。
【請求項６】
請求項１ないし５のいずれか１項に記載の情報提供システムにおいて、
前記コンテンツサーバは、前記コンテンツの概要をさらに格納し、
前記リスト生成部は、前記嗜好データに応じたコンテンツの概要を前記コンテンツサーバに要求する旨の概要要求を含むコンテンツリストを生成する、情報提供システム。
【請求項７】
請求項６に記載の情報提供システムにおいて、
前記ユーザ端末装置は、
出力部と、
前記コンテンツサーバから送信されたコンテンツの概要を受信する通信部と、
前記通信部が前記コンテンツの概要を受信すると、該コンテンツの概要を前記出力部から出力させ、その後、該コンテンツの概要を削除する制御部とを含む、情報提供システム。
【請求項８】
請求項１ないし７のいずれか１項に記載の情報提供システムにおいて、
前記リスト生成部は、前記コンテンツリストを前記コンテンツの種類に応じたフォーマットで生成する、情報提供システム。
【請求項９】
請求項１に記載の情報提供システムが行う情報提供方法であって、
前記受信部が前記嗜好データを受信する受信ステップと、
前記格納部が前記受信ステップで受信した嗜好データを格納する格納ステップ、
前記格納ステップで前記嗜好データを格納すると、前記リスト生成部が該嗜好データに応じたコンテンツ情報を前記検索用データベースから検索しその検索結果に応じたコンテンツリストを生成するリスト生成ステップと、
前記提供部が前記リスト生成ステップで生成したコンテンツリストを前記ユーザ端末装置に提供するコンテンツリスト提供ステップと、
前記変更認識部が前記コンテンツの変更を認識する変更認識ステップと、
前記変更認識ステップで前記コンテンツの変更を認識すると、前記変更部がその認識されたコンテンツの変更に基づいて前記検索用データベース内のコンテンツ情報を変更する変更ステップと、
前記変更ステップで変更したコンテンツ情報が、前記格納部が格納している嗜好データに応じている場合、前記更新通知生成部が該変更されたコンテンツ情報に応じたコンテンツ更新通知を生成する更新通知生成ステップと、
前記提供部が前記更新通知生成ステップで生成したコンテンツ更新通知を前記ユーザ端末装置に提供するコンテンツ更新通知提供ステップと、を含む情報提供方法。
【請求項１０】
請求項９に記載の情報提供方法において、
前記更新通知生成ステップは、前記コンテンツ更新通知として、前記変更部が変更したコンテンツ情報のみに応じたコンテンツ更新リストを生成する、情報提供方法。
【請求項１１】
請求項１０に記載の情報提供方法において、
前記通信部が前記コンテンツリストを受信するコンテンツリスト受信ステップと、
前記コンテンツリスト受信ステップで受信したコンテンツリストを前記コンテンツリスト格納部に格納するコンテンツリスト格納ステップと、
前記通信部が前記コンテンツ更新リストを受信するコンテンツ更新リスト受信ステップと、
前記コンテンツ更新リスト受信ステップで前記コンテンツ更新リストを受信すると、前記表示部が前記コンテンツリスト格納部に格納されているコンテンツリストと該コンテンツ更新リストとを組み合わせて表示する表示ステップと、をさらに含む情報提供方法。
【請求項１２】
請求項９に記載の情報提供方法において、
前記更新通知生成ステップは、前記コンテンツ情報が変更された検索用データベースから、前記格納部が格納している嗜好データに応じたコンテンツ情報を検索し、その検索結果に応じたコンテンツ更新リストを前記コンテンツ更新通知として生成する、情報提供方法。
【請求項１３】
請求項９に記載の情報提供方法において、
前記更新通知生成ステップは、前記コンテンツ更新通知として、変更されたコンテンツを用いる、情報提供方法。
【請求項１４】
請求項９ないし１３のいずれか１項に記載の情報提供方法において、
前記コンテンツサーバは、前記コンテンツの概要を格納し、
前記リスト生成ステップは、前記嗜好データに応じたコンテンツの概要を前記コンテンツサーバに要求する旨の概要要求を含むコンテンツリストを生成する、情報提供方法。
【請求項１５】
請求項１４に記載の情報提供方法において、
前記ユーザ端末装置は、出力部と、通信部と、制御部とを含み、
前記通信部が前記コンテンツサーバから送信されたコンテンツの概要を受信する概要受信ステップと、
前記概要受信ステップで前記コンテンツの概要を受信すると、前記制御部が該コンテンツの概要を前記出力部から出力させ、その後、該コンテンツの概要を削除する制御ステップと、さらにを含む、情報提供方法。
【請求項１６】
請求項９ないし１５のいずれか１項に記載の情報提供方法において、
前記リスト生成ステップは、前記コンテンツリストを前記コンテンツの種類に応じたフォーマットで生成する、情報提供方法。
【請求項１７】
ユーザ端末装置から送信された嗜好データを受信すると、コンテンツサーバが有しているコンテンツの中から該嗜好データに応じたコンテンツを検索し、その検索結果を前記ユーザ端末装置に提供する事業者サーバであって、
前記コンテンツに関するコンテンツ情報を格納する検索用データベースと、
前記嗜好データを受信する受信部と、
前記受信部が受信した嗜好データを格納する格納部と、
前記格納部が前記嗜好データを格納すると、該嗜好データに応じたコンテンツ情報を前記検索用データベースから検索し、その検索結果に応じたコンテンツリストを生成するリスト生成部と、
前記コンテンツの変更を認識する変更認識部と、
前記変更認識部が前記コンテンツの変更を認識すると、その認識したコンテンツの変更に基づいて前記検索用データベース内のコンテンツ情報を変更する変更部と、
前記変更部が変更したコンテンツ情報が、前記格納部が格納している嗜好データに応じている場合、該変更部が変更したコンテンツ情報に応じたコンテンツ更新通知を生成する更新通知生成部と、
前記リスト生成部が前記コンテンツリストを生成すると該コンテンツリストを前記ユーザ端末装置に提供し、前記更新通知生成部が前記コンテンツ更新通知を生成すると該コンテンツ更新通知を該ユーザ端末装置に提供する提供部と、を含む事業者サーバ。
【請求項１８】
請求項１７に記載の事業者サーバにおいて、
前記更新通知生成部は、前記コンテンツ更新通知として、前記変更部が変更したコンテンツ情報のみに応じたコンテンツ更新リストを生成する、事業者サーバ。
【請求項１９】
請求項１７に記載の事業者サーバにおいて、
前記更新通知生成部は、前記コンテンツ情報が変更された検索用データベースから、前記格納部が格納している嗜好データに応じたコンテンツ情報を検索し、その検索結果に応じたコンテンツ更新リストを前記コンテンツ更新通知として生成する、事業者サーバ。
【請求項２０】
請求項１７に記載の事業者サーバにおいて、
前記更新通知生成部は、前記コンテンツ更新通知として、変更されたコンテンツを用いる、事業者サーバ。
【請求項２１】
請求項１７ないし２０のいずれか１項に記載の事業者サーバにおいて、
前記コンテンツサーバは、前記コンテンツの概要を格納し、
前記リスト生成部は、前記嗜好データに応じたコンテンツの概要を前記コンテンツサーバに要求する旨の概要要求を含むコンテンツリストを生成する、事業者サーバ。
【請求項２２】
請求項１７ないし２１のいずれか１項に記載の事業者サーバにおいて、
前記リスト生成部は、前記コンテンツリストを前記コンテンツの種類に応じたフォーマットで生成する、事業者サーバ。
【発明の詳細な説明】
【技術分野】
【０００１】
本発明は、情報提供システム、情報提供方法および事業者サーバに関し、特には、ユーザの希望に応じたコンテンツに応じた情報をユーザ端末装置に提供する情報提供システム、情報提供方法および事業者サーバに関する。
【背景技術】
【０００２】
従来、多くのコンテンツプロバイダ（ＣＰ）サーバがコンテンツを提供している。また、着信メロディ、壁紙またはアプリケーション等の携帯電話機用コンテンツを携帯電話機に提供するＣＰサーバも知られている。
【０００３】
例えば、ユーザが携帯電話機を用いて所望のコンテンツを入手する場合、ユーザは、まず、携帯電話通信会社が提供しているメニューリストから所望のコンテンツを提供しているＣＰサーバ（サイト）を探し出し、続いて、その探し出したＣＰサーバ（サイト）から所望のコンテンツを携帯電話機にダウンロードしていた。
【０００４】
しかしながら、携帯電話機の操作に不慣れなユーザ（例えば中高齢者）は、携帯電話機を用いて所望のコンテンツを入手しようとする場合、メニューリストに基づいて所望のコンテンツを探し出し、その探し出したコンテンツをダウンロードするという一連の操作を正確に行うことができず、所望のコンテンツを入手できないという問題があった。
【０００５】
特許文献１（特開２０００−６７０６７号公報）には、ユーザ端末装置が送信したコンテンツ検索要求に基づいてコンテンツプールを検索し、その検索結果をコンテンツリストとしてユーザ端末装置に配信する配信フィルタと、そのコンテンツリストに基づいてユーザ端末装置から送信されたコンテンツ要求を受信し、そのコンテンツ要求に応じたコンテンツをコンテンツプールから読み出し、その読み出したコンテンツをユーザ端末装置に配信するコンテンツ配信手段と、を含む配信システムが記載されている。
【０００６】
特許文献１に記載の配信システムによれば、ユーザは、ユーザ端末装置を操作してコンテンツ検索要求を配信サーバに送れば、入手したいコンテンツに応じたコンテンツリストを入手でき、そのコンテンツリストを利用して、入手したいコンテンツを容易に入手することが可能になる。
【０００７】
また、特許文献２（特開２００２−３４４５２９号公報）および特許文献３（特開２００３−３３０８５０号公報）には、予めユーザが指定したコンテンツが更新されると、そのコンテンツの更新通知をユーザ端末装置に送信するプッシュサーバを備えたプッシュ型サービスシステムが記載されている。
【特許文献１】特開２０００−６７０６７号公報
【特許文献２】特開２００２−３４４５２９号公報
【特許文献３】特開２００３−３３０８５０号公報
【発明の開示】
【発明が解決しようとする課題】
【０００８】
特許文献１に記載の配信システムでは、ユーザ端末装置からコンテンツ検索要求が送信された際に、コンテンツ検索要求に応じたコンテンツリストがユーザ端末装置に送信される。しかしながら、コンテンツリストが送信された後にコンテンツが更新されると、ユーザは、そのコンテンツの更新を知ることができない。
【０００９】
特許文献２に記載のプッシュ型サービスシステムおよび特許文献３に記載のコンテンツ配信システムでは、コンテンツが更新された際に、更新通知がユーザ端末装置に送信される。しかしながら、ユーザがコンテンツを指定したときには、その指定したコンテンツが更新されるまで、そのコンテンツの情報を得ることができない。
【００１０】
そこで、特許文献１に記載の技術と、特許文献２または３に記載の技術と、を単純に組み合わせることによって、ユーザ端末装置からコンテンツ検索要求が送信された際に、そのコンテンツ検索要求に応じたコンテンツリストをユーザ端末装置に送信し、ユーザが指定したコンテンツが更新された際にその更新通知をユーザ端末装置に送信する情報提供システムが想到される。
【００１１】
しかしながら、特許文献１に記載の技術と特許文献２または３に記載の技術とを単純に組み合わせた場合、ユーザは、コンテンツリスト生成用のコンテンツ検索要求をユーザ端末装置から送信する動作と、更新通知生成用のコンテンツ指定情報をユーザ端末装置から送信する動作とを行わなければならなかった。特に、コンテンツ検索要求とコンテンツ指定情報とは同様な情報であるため、ユーザは、同様な情報を２回送信するという煩わしい作業をしなければならなかった。
【００１２】
本発明の目的は、ユーザが簡単な操作を行うだけで、そのユーザが所望のコンテンツに関する情報を入手することを可能にする情報提供システム、情報提供方法および事業者サーバを提供することである。
【課題を解決するための手段】
【００１３】
上記の目的を達成するため、本発明の情報提供システムは、コンテンツを格納するコンテンツサーバと、ユーザ端末装置と、前記ユーザ端末装置から嗜好を示す嗜好データを受信すると前記コンテンツサーバに格納されているコンテンツの中から前記嗜好データに応じたコンテンツを検索した検索結果を前記ユーザ端末装置に提供する事業者サーバと、を含む情報提供システムであって、前記事業者サーバは、前記コンテンツに関するコンテンツ情報を格納する検索用データベースと、前記嗜好データを受信する受信部と、前記受信部が受信した嗜好データを格納する格納部と、前記格納部が前記嗜好データを格納すると、該嗜好データに応じたコンテンツ情報を前記検索用データベースから検索し、その検索結果に応じたコンテンツリストを生成するリスト生成部と、前記コンテンツの変更を認識する変更認識部と、前記変更認識部が前記コンテンツの変更を認識すると、その認識したコンテンツの変更に基づいて前記検索用データベース内のコンテンツ情報を変更する変更部と、前記変更部が変更したコンテンツ情報が、前記格納部が格納している嗜好データに応じている場合、該変更部が変更したコンテンツ情報に応じたコンテンツ更新通知を生成する更新通知生成部と、前記リスト生成部が前記コンテンツリストを生成すると該コンテンツリストを前記ユーザ端末装置に提供し、前記更新通知生成部が前記コンテンツ更新通知を生成すると該コンテンツ更新通知を該ユーザ端末装置に提供する提供部とを含む。
【００１４】
また、本発明の情報提供方法は、上記情報提供システムが行う情報提供方法であって、前記受信部が前記嗜好データを受信する受信ステップと、前記格納部が前記受信ステップで受信した嗜好データを格納する格納ステップ、前記格納ステップで前記嗜好データを格納すると、前記リスト生成部が該嗜好データに応じたコンテンツ情報を前記検索用データベースから検索しその検索結果に応じたコンテンツリストを生成するリスト生成ステップと、前記提供部が前記リスト生成ステップで生成したコンテンツリストを前記ユーザ端末装置に提供するコンテンツリスト提供ステップと、前記変更認識部が前記コンテンツの変更を認識する変更認識ステップと、前記変更認識ステップで前記コンテンツの変更を認識すると、前記変更部がその認識されたコンテンツの変更に基づいて前記検索用データベース内のコンテンツ情報を変更する変更ステップと、前記変更ステップで変更したコンテンツ情報が、前記格納部が格納している嗜好データに応じている場合、前記更新通知生成部が該変更されたコンテンツ情報に応じたコンテンツ更新通知を生成する更新通知生成ステップと、前記提供部が前記更新通知生成ステップで生成したコンテンツ更新通知を前記ユーザ端末装置に提供するコンテンツ更新通知提供ステップとを含む。
【００１５】
また、本発明の事業者サーバは、ユーザ端末装置から送信された嗜好データを受信すると、コンテンツサーバが有しているコンテンツの中から該嗜好データに応じたコンテンツを検索し、その検索結果を前記ユーザ端末装置に提供する事業者サーバであって、前記コンテンツに関するコンテンツ情報を格納する検索用データベースと、前記嗜好データを受信する受信部と、前記受信部が受信した嗜好データを格納する格納部と、前記格納部が前記嗜好データを格納すると、該嗜好データに応じたコンテンツ情報を前記検索用データベースから検索し、その検索結果に応じたコンテンツリストを生成するリスト生成部と、前記コンテンツの変更を認識する変更認識部と、前記変更認識部が前記コンテンツの変更を認識すると、その認識したコンテンツの変更に基づいて前記検索用データベース内のコンテンツ情報を変更する変更部と、前記変更部が変更したコンテンツ情報が、前記格納部が格納している嗜好データに応じている場合、該変更部が変更したコンテンツ情報に応じたコンテンツ更新通知を生成する更新通知生成部と、前記リスト生成部が前記コンテンツリストを生成すると該コンテンツリストを前記ユーザ端末装置に提供し、前記更新通知生成部が前記コンテンツ更新通知を生成すると該コンテンツ更新通知を該ユーザ端末装置に提供する提供部とを含む。
【００１６】
上記の発明によれば、事業者サーバは、ユーザ端末装置から送信された嗜好データに基づいて、コンテンツリストとコンテンツ更新通知とを生成する。このため、ユーザは、１回の嗜好データ登録で、コンテンツリストとコンテンツ更新通知とを入手することが可能となる。したがって、ユーザは、コンテンツリスト用の嗜好データを登録する操作とコンテンツ更新通知用の嗜好データを登録する操作とを行う必要がなくなり、ユーザ操作の簡略化を図ることが可能となる。
【００１７】
また、前記コンテンツ更新通知として、前記変更部が変更したコンテンツ情報のみに応じたコンテンツ更新リストが生成されることが望ましい。
【００１８】
上記の発明によれば、コンテンツ変更通知が、コンテンツリストと同様に、リスト形式でユーザ端末装置に提供される。このため、ユーザは、コンテンツリストまたはコンテンツ更新リストから所望のコンテンツを選択する際、必ずリストの中から所望のコンテンツを選択するという作業を行えばよくなり、ユーザの使い勝手がよくなる。また、変更されたコンテンツ情報のみに応じたコンテンツ更新リストが提供されるため、コンテンツ更新通知の容量を小さくすることが可能になる。
【００１９】
また、前記ユーザ端末装置が、コンテンツリストとコンテンツ更新リストとを組み合わせて表示することが望ましい。
【００２０】
上記の発明によれば、ユーザ端末装置は、変更されたコンテンツ情報のみに応じたコンテンツ更新リストが提供されても、そのコンテンツ更新リストをコンテンツリストと組み合わせて表示するため、ユーザは、コンテンツ更新リストとコンテンツリストとを勘案しながら、所望のコンテンツを探すことが可能となる。
【００２１】
また、前記更新通知生成部は、前記コンテンツ情報が変更された検索用データベースから、前記格納部が格納している嗜好データに応じたコンテンツ情報を検索し、その検索結果に応じたコンテンツ更新リストを前記コンテンツ更新通知として生成することが望ましい。
【００２２】
上記の発明によれば、コンテンツ更新リストは、嗜好データに応じたすべてのコンテンツのコンテンツ情報を示したリストとなる。このため、ユーザ端末装置がコンテンツ更新リストをコンテンツリストと組み合わせて表示する機能を有していなくても、ユーザは、嗜好データに応じたすべてのコンテンツを示したコンテンツ更新リストの中から、所望のコンテンツを探すことが可能となる。
【００２３】
また、前記更新通知生成部は、前記コンテンツ更新通知として、変更されたコンテンツを用いることが望ましい。
【００２４】
上記の発明によれば、コンテンツ更新通知としてコンテンツが提供されるため、例えば、ユーザは、コンテンツ更新リストの中からコンテンツを選択し、その選択したコンテンツを入手するという作業を行わずに済み、操作性が向上する。
【００２５】
また、前記コンテンツサーバは、前記コンテンツの概要を格納し、前記リスト生成部は、前記嗜好データに応じたコンテンツの概要を前記コンテンツサーバに要求する旨の概要要求を含むリストを生成することが望ましい。
【００２６】
上記の発明によれば、ユーザは、コンテンツの概要を簡単に入手することが可能になる。
【００２７】
また、前記ユーザ端末装置は、出力部と、前記コンテンツサーバから送信されたコンテンツの概要を受信する通信部と、前記通信部が前記コンテンツの概要を受信すると、該コンテンツの概要を前記出力部から出力させ、その後、該コンテンツの概要を削除する制御部とを含むことが望ましい。
【００２８】
上記の発明によれば、コンテンツの概要がユーザ端末装置に永久に残ることを防止することが可能となる。このため、例えば、コンテンツの概要を、お試し版（例えば、試聴用）とすることが可能となる。
【００２９】
また、前記リスト生成部は、前記コンテンツリストを前記コンテンツの種類に応じたフォーマットで生成することが望ましい。
【００３０】
上記の発明によれば、コンテンツの種類に応じて、コンテンツリストをユーザが見やすいフォーマットにすることが可能となる。
【発明の効果】
【００３１】
本発明によれば、事業者サーバは、ユーザ端末装置から送信された嗜好データに基づいて、コンテンツリストとコンテンツ更新通知とを生成する。このため、ユーザは、１回の嗜好データ登録で、コンテンツリストとコンテンツ更新通知とを入手することが可能となる。したがって、ユーザは、コンテンツリスト用の嗜好データを登録する操作とコンテンツ更新通知用の嗜好データを登録する操作とを行う必要がなくなり、ユーザ操作の簡略化を図ることが可能となる。
【発明を実施するための最良の形態】
【００３２】
以下、本発明の実施例を図面を参照して説明する。
【００３３】
図１は、本発明の一実施例の情報提供システムを示したブロック図である。
【００３４】
図１において、情報提供システムは、ユーザ端末装置としての携帯電話機１ａおよび１ｂと、事業者サーバとしてのプッシュサーバ２と、コンテンツを格納するＣＰサーバ３ａおよび３ｂとを含む。なお、本実施例では、ユーザ端末装置として、携帯電話機が用いられているが、ユーザ端末装置は、携帯電話機に限るものではなく、例えば、ＰＨＳ、ＰＤＡ、または、ネットワーク接続機能を有するパーソナルコンピュータ等の携帯通信端末装置でもよい。
【００３５】
また、本実施例では、携帯電話機１として、２つの携帯電話機（携帯電話機１ａおよび１ｂ）が示されているが、携帯電話機１の数は２つに限らず適宜変更可能である。また、本実施例では、ＣＰサーバ３として、２つのＣＰサーバ（ＣＰサーバ３ａおよび３ｂ）が示されているが、ＣＰサーバ３の数は２つに限らず適宜変更可能である。
【００３６】
携帯電話機１ａおよび１ｂ、プッシュサーバ２、ＣＰサーバ３ａおよび３ｂのそれぞれは、プログラム制御によって動作する。携帯電話機１ａおよび１ｂと、プッシュサーバ２と、ＣＰサーバ３ａおよび３ｂとは、携帯電話ネットワーク４を介して相互に接続されている。
【００３７】
次に、図１を参照して、動作の概要を説明する。
【００３８】
プッシュサーバ２は、ＣＰサーバ３ａおよび３ｂに格納されているコンテンツを検索するための検索用データベースを備えている。
【００３９】
携帯電話機１ａまたは１ｂは、嗜好を示す嗜好データがユーザによって入力されると、その入力された嗜好データを、携帯電話ネットワーク４を介して、プッシュサーバ２に送信する。
【００４０】
プッシュサーバ２は、携帯電話機１ａまたは１ｂから送信された嗜好データを受信すると、その受信した嗜好データを、プッシュサーバ２内に登録する。
【００４１】
プッシュサーバ２は、嗜好データを登録すると、その嗜好データに基づいて、検索用データベースを検索してその嗜好データに応じたコンテンツを探し出し、その探し出したコンテンツを示すコンテンツリストを生成し、その生成したコンテンツリストを、携帯電話ネットワーク４を介して、嗜好データを送信した携帯電話機に送信する。
【００４２】
プッシュサーバ２は、嗜好データを登録した状態で、ＣＰサーバ３ａおよび３ｂに格納されているコンテンツの更新を認識すると、そのコンテンツに更新に基づいて、検索用データベースを更新する。
【００４３】
プッシュサーバ２は、検索用データベースを更新すると、コンテンツリストを生成した際に用いた嗜好データに基づいて、更新された検索用データベースを検索してその嗜好データに応じたコンテンツを探し出し、その探し出したコンテンツを示すコンテンツ更新通知を生成し、その生成したコンテンツ更新通知を、携帯電話ネットワーク４を介して、嗜好データを送信した携帯電話機に送信する。
【００４４】
本実施例では、プッシュサーバ２は、携帯電話機から送信された嗜好データに基づいて、コンテンツリストとコンテンツ更新リストとを生成し、それらコンテンツリストとコンテンツ更新リストとを、嗜好データを送信した携帯電話機に送信する。このため、携帯電話機のユーザは、１回の嗜好データ登録で、コンテンツリストとコンテンツ更新通知とを入手することが可能となる。
【００４５】
なお、コンテンツリストおよびコンテンツ更新通知には、それらに示されたコンテンツを格納しているＣＰサーバのアクセス情報（例えば、ＵＲＬ）が含まれる。このため、携帯電話機のユーザは、コンテンツリストまたはコンテンツ更新通知に基づいて、入手したいコンテンツを、そのコンテンツを格納しているＣＰサーバから容易に入出することが可能になる。
【００４６】
次に、図１に示した、携帯電話機１、プッシュサーバ２およびＣＰサーバ３の一例を、図２、図３および図６を参照して説明する。
【００４７】
まず、図２を参照して、携帯電話機１（携帯電話機１ａおよび１ｂ）の一例を説明する。図２は、携帯電話機１（携帯電話機１ａおよび１ｂ）の一例を示したブロック図である。
【００４８】
図２において、携帯電話機１は、入力部１１と、表示部１２と、スピーカ１３と、通信部１４と、メモリ１５および制御部１６とを含む。
【００４９】
入力部１１は、ユーザの入力を受け付ける。
【００５０】
具体的には、入力部１１は、ユーザの入力として嗜好データを受け付ける。嗜好データは、ユーザの希望するコンテンツを絞り込むために使用されるデータである。嗜好データとして、例えば、コンテンツの種類、アーティスト名（コンテンツが着信メロディの場合）、俳優名（コンテンツが映画の場合）、ジャンル等が用いられる。
【００５１】
また、入力部１１は、ユーザの入力としてユーザ情報を受け付ける。ユーザ情報は、例えば、ユーザの性別、年齢または住所（所在地）を示す情報であり、携帯電話機１の識別情報（例えば、携帯電話機１のアクセス情報）も含む。
【００５２】
入力部１１は、その受け付けたユーザの入力を制御部１６に提供する。
【００５３】
通信部１４は、制御部１６の制御に基づいて、携帯電話ネットワーク４を介して、プッシュサーバ２、ＣＰサーバ３（ＣＰサーバ３ａおよび３ｂ）と通信する。
【００５４】
例えば、通信部１４は、制御部１６の制御に基づいて、入力部１１が受け付けた嗜好データおよびユーザ情報を、携帯電話ネットワーク４を介して、プッシュサーバ２に送信する。通信部１４は、嗜好データおよびユーザ情報の応答としてプッシュサーバ２から提供される、コンテンツリストおよびコンテンツ更新通知を受信する。
【００５５】
また、通信部１４は、制御部１６の制御に基づいて、コンテンツを要求するコンテンツ要求を、携帯電話ネットワーク４を介して、ＣＰサーバ３に送信する。通信部１４は、コンテンツ要求の応答としてＣＰサーバ３から提供されるコンテンツを受信する。
【００５６】
また、通信部１４は、制御部１６の制御に基づいて、コンテンツの概要を要求する概要要求を、携帯電話ネットワーク４を介して、ＣＰサーバ３に送信する。通信部１４は、概要要求の応答としてＣＰサーバ３から提供されるコンテンツの概要を受信する。
【００５７】
メモリ１５は、種々のデータを格納する。メモリ１５は、例えば、通信部１４が受信した、コンテンツリストおよびコンテンツ更新通知を格納する。
【００５８】
また、メモリ１５は、携帯電話機１の動作を規定する専用アプリケーション（動作プログラム）を格納する。
【００５９】
制御部１６は、ＣＰＵ等のコンピュータである。
【００６０】
制御部１６は、メモリ１５が格納している専用アプリケーションを読み取り、その読み取った専用アプリケーションを実行することによって種々の動作（機能）を実行する。
【００６１】
例えば、制御部１６は、入力部１１が嗜好データを受け付けると、その受け付けた嗜好データを携帯電話ネットワーク４を介してプッシュサーバ２に送信する送信処理を、通信部１４に実行させる。なお、本実施例では、制御部１６は、入力部１１が受け付けた嗜好データを入力部１１が受け付けたユーザ情報と共に携帯電話ネットワーク４を介してプッシュサーバ２に送信する送信処理を、通信部１４に実行させる。
【００６２】
また、制御部１６は、通信部１４が、嗜好データおよびユーザ情報の応答として、プッシュサーバ２から提供されたコンテンツリストを受信すると、その提供されたコンテンツリストをメモリ１５に格納し、また、そのコンテンツリストを表示部１２に表示させる。
【００６３】
また、制御部１６は、通信部１４が、嗜好データおよびユーザ情報の応答として、プッシュサーバ２から提供されたコンテンツ更新通知を受信すると、その提供されたコンテンツ更新通知をメモリ１５に格納し、そのコンテンツ更新通知を表示部１２に表示させる。
【００６４】
出力部としての表示部１２は、制御部１６から提供されるコンテンツに応じた画像（例えば、コンテンツリストおよびコンテンツ更新通知等の静止画像（なお、静止画像は文字を示す文字画像を含む。）およびコンテンツそのもの（例えば、動画像または静止画像）を表示する。出力部としてのスピーカ１３は、制御部１６から供給されるコンテンツに応じた音を出力する。
【００６５】
次に、図３を参照して、ＣＰサーバ３（ＣＰサーバ３ａおよび３ｂ）の一例を説明する。図３は、ＣＰサーバ３（ＣＰサーバ３ａおよび３ｂ）の一例を示したブロック図である。
【００６６】
ＣＰサーバ３は、入力部３１と、通信部３２と、コンテンツ格納部３３と、メモリ３４と、制御部３５とを含む。
【００６７】
入力部３１は、ＣＰサーバ３の管理者の入力を受け付ける。入力部３１は、例えば、コンテンツ格納部３３に格納されているコンテンツ等を変更する旨のコンテンツ変更入力を受け付ける。
【００６８】
通信部３２は、制御部３５の制御に基づいて、携帯電話ネットワーク４を介して、携帯電話機１ａおよび１ｂ、プッシュサーバ２と通信する。
【００６９】
例えば、通信部３２は、携帯電話機１から送信されたコンテンツ要求を受信する。通信部３２は、制御部３５の制御に基づいて、そのコンテンツ要求で要求されたコンテンツを、携帯電話ネットワーク４を介して、そのコンテンツ要求を送信した携帯電話機１に送信する。
【００７０】
また、通信部３２は、携帯電話機１から送信された概要要求を受信する。通信部３２は、制御部３５の制御に基づいて、その概要要求で要求されたコンテンツの概要を、携帯電話ネットワーク４を介して、その概要要求を送信した携帯電話機１に送信する。
【００７１】
通信部３２は、コンテンツ格納部３３のコンテンツが更新されると、その更新内容を示すコンテンツ更新通知を、携帯電話ネットワーク４を介して、プッシュサーバ２に送信する。
【００７２】
コンテンツ格納部３３は、コンテンツを格納する。本実施例では、コンテンツ格納部３３は、例えば、着信メロディ、映画、テレビ（ＴＶ）番組表、ｉアプリまたはｉモーションなどの複数種類のコンテンツと、そのコンテンツの概要を示す概要情報と、そのコンテンツに関するコンテンツ情報とを関連づけて格納する。
【００７３】
なお、映画に関するコンテンツとして、映画の動画データを用いてもよい。また、公開中の映画については、その映画のチケットを、映画に関するコンテンツとして用いてもよい。
【００７４】
また、テレビ（ＴＶ）番組表に関するコンテンツとして、番組予約情報を用いてもよい。
【００７５】
なお、コンテンツの種類が着信メロディの場合、その概要情報は、着信メロディの一部またはすべてであることが望ましい。コンテンツの種類が映画の場合、その概要情報は、映画の予告編であることが望ましい。コンテンツの種類がＴＶ番組表の場合、その概要情報は、番組の概要であることが望ましい。コンテンツの種類がｉアプリの場合、その概要情報は、その機能の概要であることが望ましい。コンテンツの種類がｉモーションの場合、その概要情報は、その動画の一部であることが望ましい。
【００７６】
コンテンツ格納部３３は、コンテンツそのものおよびその概要（概要情報）とを格納するコンテンツ格納領域と、コンテンツ格納領域に格納されたコンテンツおよびその概要を管理するための管理情報（コンテンツ情報）を格納するコンテンツ管理テーブルと、を含んでもよい。
【００７７】
ここで、図４を参照して、コンテンツ格納領域とコンテンツ管理テーブルとの一例を説明する。図４は、コンテンツ格納領域３３ａとコンテンツ管理テーブル３３ｂとの一例を示した説明図である。
【００７８】
図４において、コンテンツ格納領域３３ａの「Ｎｏ．」３３ａ１はコンテンツ管理テーブル３３ｂの「Ｎｏ．」３３ｂ１と対応している。「Ａ」ないし「Ｎ」はコンテンツそのものであり、「ａ」は、コンテンツ「Ａ」の概要であり、「ｎ」はコンテンツ「Ｎ」の概要である。
【００７９】
なお、コンテンツ格納部３３は、コンテンツそのものとその概要とを、そのコンテンツの属性データ（コンテンツ情報）と関連づけて格納してもよい。
【００８０】
ここで、図５を参照して、コンテンツそのものとその概要とを、そのコンテンツの属性データと関連づけて格納したコンテンツ格納部３３の一例を説明する。図５は、コンテンツそのものとその概要とを、そのコンテンツの属性データと関連づけて格納したコンテンツ格納部３３の一例を示した説明図である。
【００８１】
なお、図４に示した管理情報３３ｂ２と図５に示した属性データ３３ｄとは、同じ情報であることが望ましい。
【００８２】
管理情報３３ｂ２および属性データ３３ｄは、コンテンツの種類を示す種類情報３０１と、コンテンツの名称を示すコンテンツ名情報３０２と、その他の情報３０３とを含む。
【００８３】
コンテンツの種類が着信メロディの場合、その他の情報３０３は、発売（登録）時期、ジャンル（ＪＰＯＰ、洋楽等）、アーティスト情報およびプレビュー画像情報を含む。コンテンツの種類が映画の場合、その他の情報３０３は、公開時期、ジャンル、出演俳優、空席情報およびプリビュー画像情報を含む。コンテンツの種類がＴＶ番組表の場合、その他の情報３０３は、番組予約（メール連携）を含む。コンテンツの種類がｉアプリの場合、その他の情報３０３はジャンルを含む。コンテンツの種類がｉモーションの場合、その他の情報３０３はジャンルを含む。
【００８４】
なお、管理情報３３ｂ２および属性データ３３ｄは、携帯電話機１に入力された嗜好データに応じたコンテンツを探すために用いられる。
【００８５】
図３に戻って、メモリ３４は、ＣＰサーバ３の動作を規定する動作プログラムを格納する。
【００８６】
制御部３５は、ＣＰＵ等のコンピュータである。
【００８７】
制御部３５は、メモリ３４が格納している動作プログラムを読み取り、その読み取った動作プログラムを実行することによって種々の動作（機能）を実行する。
【００８８】
例えば、制御部３５は、入力部３１がコンテンツ変更入力を受け付けると、その受け付けたコンテンツ変更入力に基づいて、コンテンツ格納部３３に格納しているコンテンツと概要情報およびそのコンテンツの管理情報または属性データとを変更する。
【００８９】
制御部３５は、コンテンツ格納部３３が格納している、コンテンツと概要情報およびそのコンテンツの管理情報または属性データとを変更すると、それらの変更内容を示す旨のコンテンツ更新通知をプッシュサーバ２に送信する送信処理を、通信部３２に実行させる。
【００９０】
次に、図６を参照して、プッシュサーバ２の一例を説明する。図６は、プッシュサーバ２の一例を示したブロック図である。図６において、プッシュサーバ２は、通信部２１と、検索用ＤＢ（データベース）２２と、格納部２３と、メモリ２４と、制御部２５とを含む。制御部２５は、リスト生成部２５ａと、変更認識部２５ｂと、検索用情報変更部２５ｃと、更新通知生成部２５ｄとを含む。
【００９１】
通信部２１は、制御部２５の制御に基づいて、携帯電話ネットワーク４を介して、携帯電話機１ａおよび１ｂ、ＣＰサーバ３ａおよび３ｂと通信する。
【００９２】
例えば、通信部２１は、携帯電話機１から送信された嗜好データおよびユーザ情報を受信する。通信部２１は、嗜好データおよびユーザ情報の応答としてリスト生成部２５ａが生成したコンテンツリストを、携帯電話ネットワーク４を介して、その嗜好データおよびユーザ情報を送信した携帯電話機１に送信する。
【００９３】
また、通信部２１は、ＣＰサーバ３から送信されたコンテンツ更新通知を受信する。
【００９４】
また、通信部２１は、嗜好データおよびユーザ情報の応答として更新通知生成部２５ｄが生成したコンテンツ更新通知を、その嗜好データおよびユーザ情報を送信した携帯電話機１に送信する。
【００９５】
検索用ＤＢ２２は、ＣＰサーバ３（ＣＰサーバ３ａおよび３ｂ）が格納しているコンテンツに関するコンテンツ情報を格納する。本実施例では、検索用ＤＢ２２は、コンテンツ情報として、図４に示した管理情報または属性データと、その管理情報または属性データを格納しているＣＰサーバのアクセス情報（例えば、ＣＰサーバのＵＲＬ）とを格納する。なお、検索用ＤＢ２２は、コンテンツ情報として、さらに、コンテンツそのものと概要情報とを格納してもよい。
【００９６】
ここで、図７を参照して、検索用ＤＢ２２の一例を説明する。図７は、検索用ＤＢ２２の一例を示した説明図である。図７において、検索用ＤＢ２２は、属性情報２２ａをＣＰサーバのアクセス情報２２ｂと関連づけて格納する。
【００９７】
図６に戻って、格納部２３は、携帯電話機１から送信された嗜好データおよびユーザ情報を格納する。
【００９８】
メモリ２４は、プッシュサーバ２の動作を規定する動作プログラムを格納する。
【００９９】
制御部２５は、メモリ２４に格納されている動作プログラムを読み込み、その読み込んだプログラムを実行することで種々の動作（機能）を実行する。本実施例では、リスト生成部２５ａと、変更認識部２５ｂと、検索用情報変更部２５ｃおよび更新通知生成部２５ｄとは、制御部２５が動作プログラムを実行することによって実現される。
【０１００】
リスト生成部２５ａは、格納部２３が嗜好データおよびユーザ情報を格納すると、検索用ＤＢ２２が格納しているコンテンツ情報から、格納部２３に格納された嗜好データに応じたコンテンツ情報を検索し、その検索結果に応じたコンテンツリストを生成する。例えば、リスト生成部２５ａは、嗜好データと一致するコンテンツ情報を含む属性情報２２ａとその属性情報２２ａと関連づけられているＣＰサーバアクセス情報２２ｂとを含むコンテンツリストを生成する。
【０１０１】
リスト生成部２５ａは、嗜好データに応じたコンテンツをＣＰサーバ３に要求する旨のコンテンツ要求を含むコンテンツリストを生成する。なお、リスト生成部２５ａは、嗜好データに応じたコンテンツの概要をＣＰサーバ３に要求する旨の概要要求を含むコンテンツリストを生成することが望ましい。
【０１０２】
また、リスト生成部２５ａは、コンテンツの種類に応じたフォーマットでコンテンツリストを生成する。
【０１０３】
ここで、図８、図９および図１０を参照して、リスト生成部２５ａが生成するコンテンツリストの一例を説明する。
【０１０４】
図８は、リスト生成部２５ａが生成するコンテンツリストの一例を示した説明図である。なお、図８は、着信メロディに関するコンテンツリストを示した説明図である。
【０１０５】
図８において、コンテンツリスト８００は、プレビュー画像８０１と、コンテンツ名８０２と、アーティスト名８０３と、視聴要求ボタン（概要要求）８０４と、ダウンロード要求ボタン（コンテンツ要求）８０５とを、コンテンツごとに有している。なお、視聴要求ボタン８０４とダウンロード要求ボタン８０５とは、ＣＰサーバアクセス情報２２ｂとリンクしている。
【０１０６】
図９は、リスト生成部２５ａが生成するコンテンツリストの他の例を示した説明図である。なお、図９は、映画に関するコンテンツリストを示した説明図である。
【０１０７】
図９において、コンテンツリスト９００は、プレビュー画像９０１と、コンテンツ名９０２と、予告編要求ボタン（概要要求）９０３と、チケット購入要求ボタン（コンテンツ要求）９０４とを、コンテンツごとに有している。
【０１０８】
図１０は、コンテンツリストのさらに他の例を示した説明図である。
【０１０９】
図１０において、コンテンツの種類が着信メロディの場合、コンテンツリストには、視聴要求ボタン（概要要求）と、ダウンロード要求ボタン（コンテンツ要求）と、アーティスト情報と、ＣＤ購入要求ボタンとが示される。
【０１１０】
コンテンツの種類が映画の場合、コンテンツリストには、概要（文字で示された概要）要求ボタンと、予告編要求ボタン（概要要求）と、チケット購入（座席予約）要求ボタン（コンテンツ要求）とが示される。
【０１１１】
コンテンツがＴＶ番組表の場合、コンテンツリストには、番組概要（詳細）要求ボタン（概要要求）と、番組予約（メール連携）ボタン（コンテンツ要求）とが示される。なお、番組予約（メール連携）ボタンが操作されると、予め定めたハードディスクレコーダに対して番組予約メールが送信される。
【０１１２】
このように、リスト生成部２５ａがコンテンツリストをコンテンツの種類に応じたフォーマットで生成すれば、コンテンツの種類に応じて、コンテンツリストをユーザが見やすいフォーマットにすることが可能となる。
【０１１３】
図６に戻って、変更認識部２５ｂは、ＣＰサーバ３に格納されているコンテンツの変更を認識する。
【０１１４】
変更認識部２５ｂは、例えば、ＣＰサーバ３から提供されるコンテンツ更新通知を受信することによって、ＣＰサーバ３に格納されているコンテンツの変更を認識する。
【０１１５】
なお、変更認識部２５ｂは、ＣＰサーバ３に対して、コンテンツが更新されたか否かを問合せ、その問合せの回答をＣＰサーバ３から受け付けることによって、ＣＰサーバ３に格納されているコンテンツの変更を認識してもよい。
【０１１６】
検索用情報変更部２５ｃは、変更認識部２５ｃがコンテンツの変更を認識すると、そのコンテンツの変更内容に基づいて、検索用ＤＢ内２２のコンテンツ情報を変更する。例えば、検索用情報変更部２５ｃは、変更認識部２５ｂが受信したコンテンツ更新通知に基づいて、検索用ＤＢ内２２のコンテンツ情報を変更する。検索用情報変更部２５ｃは、検索用ＤＢ内２２のコンテンツ情報を変更すると、その旨を更新通知生成部２５ｄに通知する。
【０１１７】
更新通知生成部２５ｄは、検索用情報変更部２５ｃが変更したコンテンツ情報が格納部２３に格納されている嗜好データに応じている場合、例えば、検索用情報変更部２５ｃが変更したコンテンツ情報が格納部２３に格納されている嗜好データと一致する場合、検索用情報変更部２５ｃが変更したコンテンツ情報を含むようなコンテンツ更新通知を生成する。
【０１１８】
本実施例では、更新通知生成部２５ｄは、コンテンツ更新通知として、検索用情報変更部２５ｃが変更したコンテンツ情報のみに応じたコンテンツ更新リスト、例えば、検索用情報変更部２５ｃが変更しなかったコンテンツ情報を含まないコンテンツ更新リストを生成する。
【０１１９】
通信部２１は、リスト生成部２５ａがコンテンツリストを生成するとそのコンテンツリストを携帯電話機１に提供し、更新通知生成部２５ｄがコンテンツ更新通知を生成するとそのコンテンツ更新通知を携帯電話機１に提供する。
【０１２０】
次に、動作を説明する。
【０１２１】
図１１は、図１に示した情報提供システムの動作を説明するためのシーケンス図である。以下、図１１を参照して、情報提供システムの動作を説明する。図１１では、携帯電話機１とＣＰサーバ３がともに１台の場合の動作を説明する。なお、携帯電話機１の数およびＣＰサーバ３の数は複数でもよい。
【０１２２】
ステップ１０１では、携帯電話機１のユーザが、携帯電話機１のメモリ１５に格納されている専用アプリケーションが起動するように、入力部１１を操作すると、制御部１６は、メモリ１５に格納されている専用アプリケーションを読み取り、その読み取った専用アプリケーションを実行して以下の動作（ステップ１０２、１０３、１０４、１０８、１０９、１１１、１１７、１１８および１２０）を行う。
【０１２３】
制御部１６は、専用アプリケーションを実行することによって、まず、ステップ１０２を実行する。
【０１２４】
ステップ１０２では、制御部１６は、嗜好データ設定画面を表示部１２に表示させる。なお、嗜好データ設定画面の画像情報は、メモリ１５に格納されているものとする。
【０１２５】
制御部１６は、嗜好データ設定画面を表示部１２に表示させると、ステップ１０３を実行する。
【０１２６】
ステップ１０３では、携帯電話機１のユーザが入力部１１を操作して嗜好データおよびユーザ情報を入力すると、入力部１１は、その入力された嗜好データおよびユーザ情報を制御部１６に出力する。なお、嗜好データとしては、例えば、コンテンツの種類、ジャンル、または、利用するＣＰサーバが用いられる。制御部１６は、入力部１１から提供された嗜好データおよびユーザ情報を一時的に自己のメモリ（不図示）に設定する。
【０１２７】
制御部１６は、入力部１１から提供された嗜好データおよびユーザ情報を一時的に自己のメモリに設定すると、ステップ１０４を実行する。
【０１２８】
ステップ１０４では、制御部１６は、入力部１１から提供された嗜好データおよびユーザ情報を携帯電話ネットワーク４を介してプッシュサーバ２に送信する送信処理を、通信部１４に実行させる。
【０１２９】
プッシュサーバ２の通信部２１は、携帯電話機１の通信部１４から送信された嗜好データおよびユーザ情報を受信すると、ステップ１０５を実行する。
【０１３０】
ステップ１０５では、プッシュサーバ２の通信部２１は、携帯電話機１の通信部１４から送信された嗜好データおよびユーザ情報を受信すると、その嗜好データおよびユーザ情報をリスト生成部２５ａに提供する。リスト生成部２５ａは、通信部２１から提供された嗜好データおよびユーザ情報を格納部２３に格納（登録）する。
【０１３１】
リスト生成部２５ａは、通信部２１から提供された嗜好データおよびユーザ情報を格納部２３に格納（登録）すると、ステップ１０６を実行する。
【０１３２】
ステップ１０６では、リスト生成部２５ａは、検索用ＤＢ２２が格納しているコンテンツ情報から、格納部２３に格納された嗜好データに応じたコンテンツ情報を検索し、その検索結果に応じたリストを生成する。
【０１３３】
例えば、リスト生成部２５ａは、検索用ＤＢ２２が格納しているコンテンツ情報から、格納部２３に格納された嗜好データに一致するコンテンツ情報を検索し、そのコンテンツ情報を含む属性情報およびその属性情報と関連づけて検索用ＤＢ２２に格納されているＣＰサーバアクセス情報とを含むコンテンツリストを生成する（図８、図９および図１０参照）。
【０１３４】
リスト生成部２５ａは、コンテンツリストを生成すると、ステップ１０７を実行する。
【０１３５】
ステップ１０７では、リスト生成部２５ａは、その生成したコンテンツリストを携帯電話ネットワーク４を介して携帯電話機１に送信する送信処理を、通信部２１に実行させる。
【０１３６】
携帯電話機１の通信部１４は、プッシュサーバ２の通信部２１から送信されたコンテンツリストを受信すると、ステップ１０８を実行する。
【０１３７】
ステップ１０８では、携帯電話機１の通信部１４は、プッシュサーバ２の通信部２１から送信されたコンテンツリストを受信すると、そのコンテンツリストを制御部１６に提供する。制御部１６は、通信部１４から提供されたコンテンツリストをメモリ１５に格納し、さらにそのコンテンツリストを表示部１２に表示させる。なお、本実施例では、表示部１２は、図８に示したリスト８００を表示するものとする。
【０１３８】
携帯電話機１のユーザは、表示部１２に表示されたリスト８００の中から所望のコンテンツまたは所望のコンテンツの概要を選択するように入力部１１を操作する。例えば、ユーザがリスト８００の中からコンテンツ名「〇〇〇」のコンテンツを選択する場合、ユーザはコンテンツ名「〇〇〇」に対応するダウンロード要求ボタン８０５を押すように入力部１１を操作する。また、ユーザがリスト８００の中からコンテンツ名「△△△」のコンテンツの概要を選択する場合、ユーザはコンテンツ名「△△△」に対応する視聴要求ボタン（概要要求）８０４を押すように入力部１１を操作する。
【０１３９】
制御部１６は、入力部１１が所望のコンテンツの選択を受け付けると、ステップ１０９を実行する。
【０１４０】
ステップ１０９では、制御部１６は、入力部１１が所望のコンテンツの選択を受け付けると、その所望のコンテンツを要求するコンテンツ要求をＣＰサーバ３に送信する送信処理を通信部１４に実行させる。
【０１４１】
なお、入力部１１が所望のコンテンツの概要の選択を受け付けると、制御部１６は、そのコンテンツの概要を要求する概要要求をＣＰサーバ３に送信する送信処理を通信部１４に実行させる。
【０１４２】
ＣＰサーバ３の通信部３２は、携帯電話機１の通信部１４から送信されたコンテンツ要求を受信すると、ステップ１１０を実行する。
【０１４３】
ステップ１１０では、ＣＰサーバ３の通信部３２は、携帯電話機１の通信部１４から送信されたコンテンツ要求を受信すると、そのコンテンツ要求を制御部３５に提供する。制御部３５は、そのコンテンツ要求が要求する所望のコンテンツをコンテンツ格納部３３から読み取り、その読み取った所望のコンテンツを携帯電話機１に送信する送信処理を通信部３２に実行させる。
【０１４４】
なお、ＣＰサーバ３の通信部３２は、携帯電話機１の通信部１４から送信された概要要求を受信すると、その概要要求を制御部３５に提供する。制御部３５は、その概要要求が要求する所望のコンテンツの概要をコンテンツ格納部３３から読み取り、その読み取った所望のコンテンツの概要を携帯電話機１に送信する送信処理を通信部３２に実行させる。
【０１４５】
携帯電話機１の通信部１４は、ＣＰサーバ３の通信部３２から送信されたコンテンツを受信すると、ステップ１１１を実行する。
【０１４６】
ステップ１１１では、携帯電話機１の通信部１４は、ＣＰサーバ３の通信部３２から送信されたコンテンツを受信すると、そのコンテンツを制御部１６に提供する。制御部１６は、通信部１４から提供されたコンテンツをメモリ１５に格納する。なお、制御部１６は、コンテンツをメモリ１５に格納する際、そのコンテンツの属性にあったメモリ１５の領域にそのコンテンツを格納する。制御部１６は、メモリ１５に格納したコンテンツを表示部１２またはスピーカ１３から出力させる。
【０１４７】
なお、携帯電話機１の通信部１４は、ＣＰサーバ３の通信部３２から送信されたコンテンツの概要を受信すると、そのコンテンツの概要を制御部１６に提供する。制御部１６は、通信部１４から提供されたコンテンツの概要をメモリ１５に格納する。制御部１６は、コンテンツの概要をメモリ１５に格納する際、そのコンテンツの概要の属性にあったメモリ１５の領域にそのコンテンツの概要を格納する。制御部１６は、メモリ１５に格納したコンテンツの概要を表示部１２またはスピーカ１３から出力させる。
【０１４８】
なお、制御部１６は、通信部１４がＣＰサーバ３から送信されたコンテンツの概要を受信すると、その受信したコンテンツの概要を表示部１２またはスピーカ１３から出力させ、その後、そのコンテンツの概要を削除してもよい。この場合、コンテンツの概要が携帯電話機１に永久に残ることを防止可能になる。このため、例えば、コンテンツの概要を、お試し版（例えば、試聴用）とすることが可能となる。
【０１４９】
また、携帯電話機１にユーザが、所望のコンテンツを要求するマイメニュー登録をＣＰサーバ３に対して行いたい場合、ユーザは、この段階で、携帯電話機１の入力部１１を操作してＣＰサーバ３にマイメニュー登録を行う。なお、このマイメニュー登録は、携帯電話機１のメモリ１５に格納されている専用アプリケーションを用いて行うことが可能であることが望ましい。
【０１５０】
ＣＰサーバ３の入力部３１がコンテンツ格納部３３内のコンテンツを更新する旨のコンテンツ変更入力を受け付けると、制御部３５は、ステップ１１２を実行する。
【０１５１】
ステップ１１２では、ＣＰサーバ３の入力部３１がコンテンツ格納部３３内のコンテンツを更新する旨のコンテンツ変更入力を受け付けると、制御部３５は、その受け付けたコンテンツ変更入力に基づいて、コンテンツ格納部３３に格納しているコンテンツとその概要およびそのコンテンツ情報（管理情報または属性データ）とを変更する。
【０１５２】
制御部３５は、コンテンツ格納部３３に格納しているコンテンツとその概要およびそのコンテンツ情報とを変更すると、ステップ１１３を実行する。
【０１５３】
ステップ１１３では、制御部３５は、コンテンツ格納部３３に格納しているコンテンツとその概要およびそのコンテンツ情報とを変更すると、その変更内容を示す旨のコンテンツ更新通知をプッシュサーバ２に送信する送信処理を、通信部３２に実行させる。
【０１５４】
なお、この送信処理を実行するタイミングは、定期的（例えば、予め指定された曜日の予め指定された時刻）でもよいし、コンテンツ格納部３３が格納しているコンテンツが変更されたときでもよいし、ＣＰサーバ３の管理者が任意に指定したタイミングで行ってもよい。
【０１５５】
プッシュサーバ２の通信部２１は、ＣＰサーバ３から送信されたコンテンツ更新通知を受信すると、ステップ１１４を実行する。
【０１５６】
ステップ１１４では、プッシュサーバ２の通信部２１は、ＣＰサーバ３から送信されたコンテンツ更新通知を受信すると、そのコンテンツ更新通知を変更認識部２５に出力する。変更認識部２５ｂは、コンテンツ更新通知を受け付けることによって、ＣＰサーバ３に格納されているコンテンツの変更を認識する。検索用情報変更部２５ｃは、変更認識部２５ｃがコンテンツの変更を認識すると、変更認識部２５ｃが受け付けたコンテンツ更新通知に基づいて、検索用ＤＢ内２２のコンテンツ情報を変更する。
【０１５７】
更新通知生成部２５ｄは、検索用情報変更部２５ｃが変更したコンテンツ情報が格納部２３に格納されている嗜好データに応じている場合、ステップ１１５を実行する。
【０１５８】
ステップ１１５では、更新通知生成部２５ｄは、検索用情報変更部２５ｃが変更したコンテンツ情報が格納部２３に格納されている嗜好データに応じている場合、検索用情報変更部２５ｃが変更したコンテンツ情報に応じたコンテンツ更新通知を生成する。本実施例では、更新通知生成部２５ｄは、リスト生成部２５ａが生成するコンテンツリストと同じファーマットのリスト形式のコンテンツ更新リストを生成する。さらに言えば、更新通知生成部２５ｄは、コンテンツ更新通知として、検索用情報変更部２５ｃが変更したコンテンツ情報のみを対象としたコンテンツ更新リストを生成する。
【０１５９】
通信部２１は、更新通知生成部２５ｄがコンテンツ更新通知を生成すると、ステップ１１６を実行する。
【０１６０】
ステップ１１６では、通信部２１は、更新通知生成部２５ｄがコンテンツ更新通知を生成すると、そのコンテンツ更新通知を携帯電話機１に提供する。
【０１６１】
携帯電話機１の通信部１４は、プッシュサーバ２の通信部２１から送信されたコンテンツ更新通知を受信すると、ステップ１１７を実行する。
【０１６２】
ステップ１１７では、携帯電話機１の通信部１４は、プッシュサーバ２の通信部２１から送信されたコンテンツ更新通知を受信すると、そのコンテンツ更新通知を制御部１６に提供する。制御部１６は、通信部１４から提供されたコンテンツ更新通知を表示部１２に表示させる。
【０１６３】
携帯電話機１のユーザは、表示部１２に表示されたコンテンツ更新通知の中から所望のコンテンツを選択するように入力部１１を操作する。
【０１６４】
制御部１６は、入力部１１が所望のコンテンツの選択を受け付けると、ステップ１１８を実行する。
【０１６５】
ステップ１１８では、制御部１６は、入力部１１が所望のコンテンツの選択を受け付けると、専用アプリケーションが起動していない場合、メモリ１５から専用アプリケーションを読み取り、その読み取った専用アプリケーションを実行し、その所望のコンテンツを要求するコンテンツ要求をＣＰサーバ３に送信する送信処理を通信部１４に実行させる。
【０１６６】
ＣＰサーバ３の通信部３２は、携帯電話機１の通信部１４から送信されたコンテンツ要求を受信すると、ステップ１１９を実行する。
【０１６７】
ステップ１１９では、ＣＰサーバ３の通信部３２は、携帯電話機１の通信部１４から送信されたコンテンツ要求を受信すると、そのコンテンツ要求を制御部３５に提供する。制御部３５は、そのコンテンツ要求が要求する所望のコンテンツをコンテンツ格納部３３から読み取り、その読み取った所望のコンテンツを携帯電話機１に送信する送信処理を通信部３２に実行させる。
【０１６８】
携帯電話機１の通信部１４は、ＣＰサーバ３の通信部３２から送信されたコンテンツを受信すると、ステップ１２０を実行する。
【０１６９】
ステップ１２０では、携帯電話機１の通信部１４は、ＣＰサーバ３の通信部３２から送信されたコンテンツを受信すると、そのコンテンツを制御部１６に提供する。制御部１６は、通信部１４から提供されたコンテンツをメモリ１５に格納する。なお、制御部１６は、コンテンツをメモリ１５に格納する際、そのコンテンツの属性にあったメモリ１５の領域にそのコンテンツを格納する。制御部１６は、メモリ１５に格納したコンテンツを表示部１２またはスピーカ１３から出力させる。
【０１７０】
本実施例によれば、以下に示す作用効果を奏する。
【０１７１】
第１の作用効果は、以下の通りである。
【０１７２】
プッシュサーバ２は、携帯電話機１から送信された嗜好データに基づいて、コンテンツリストと更新通知とを生成する。このため、ユーザは、１回の嗜好データ登録で、リストと更新通知とを入手することが可能となる。したがって、ユーザは、リスト用の嗜好データを登録する操作と、更新通知用の嗜好データを登録する操作とを行う必要がなくなり、ユーザの操作の簡略化を図ることが可能となる。
【０１７３】
第２の作用効果は、以下の通りである。
【０１７４】
更新通知生成部２５ｄは、コンテンツ更新通知として、検索用情報変更部２５ｃが変更したコンテンツ情報のみに応じたコンテンツ更新リストを生成する。このため、ユーザは、コンテンツリストまたはコンテンツ更新リストから所望のコンテンツを選択する際、必ずリストの中から所望のコンテンツを選択するという作業を行えばよくなり、ユーザの使い勝手がよくなる。また、変更されたコンテンツ情報のみに応じたコンテンツ更新リストが提供されるため、コンテンツ更新通知の容量を小さくすることが可能になる。
【０１７５】
第３の作用効果は、以下の通りである。
【０１７６】
ＣＰサーバ３は、コンテンツの概要を格納し、リスト生成部２５ａは、嗜好データに応じたコンテンツの概要をＣＰサーバ３に要求する旨の概要要求を含むコンテンツリストを生成する。このため、ユーザは、コンテンツの概要を簡単に入手することが可能になる。
【０１７７】
第４の作用効果は、以下の通りである。
【０１７８】
携帯電話機１は、出力部（表示部１２またはスピーカ１３）と、ＣＰサーバ３から送信されたコンテンツの概要を受信する通信部１４と、通信部１４がコンテンツの概要を受信すると、そのコンテンツの概要を出力部（表示部１２またはスピーカ１３）から出力させ、その後、そのコンテンツの概要を削除する制御部１６とを含んでいる。
【０１７９】
このため、コンテンツの概要が携帯電話機１に永久に残ることを防止することが可能となる。このため、例えば、コンテンツの概要を、お試し版（例えば、試聴用）とすることが可能となる。
【０１８０】
第５の作用効果は、以下の通りである。
【０１８１】
リスト生成部２５ａは、コンテンツリストをコンテンツの種類に応じたフォーマットで生成する。このため、コンテンツの種類に応じて、コンテンツリストをユーザが見やすいフォーマットにすることが可能となる。
【０１８２】
なお、本実施例は、以下のように変形されてもよい。
【０１８３】
例えば、制御部１６は、通信部１４がコンテンツ更新通知を受信すると、その受信したコンテンツ更新通知を、メモリ１５に格納されているコンテンツリストと組み合わせて表示する表示処理を、表示部１２に実行させてもよい。
【０１８４】
この場合、ユーザは、コンテンツ更新通知とコンテンツリストとを勘案しながら、所望のコンテンツを探すことが可能となる。また、ユーザは、所望のコンテンツを選択する際、必ずリストの中から所望のコンテンツを選択するという１種類の作業を行えばよくなり、ユーザの使い勝手がよくなる。
【０１８５】
また、更新通知生成部２５ｄが、検索用情報変更部２５ｃによってコンテンツ情報が変更された検索用ＤＢ２２から、格納部２３が格納している嗜好データに応じたコンテンツ情報を検索し、その検索結果に応じたコンテンツ更新リストをコンテンツ更新通知として生成してもよい。この場合、更新通知生成部２５ｄが生成するコンテンツ更新リストには、更新されていないコンテンツについての情報も含まれる。
【０１８６】
このため、携帯電話機１がコンテンツ更新通知をコンテンツリストと組み合わせて表示する機能を有していなくても、ユーザは、嗜好データに応じたすべてのコンテンツを示したリストの中から、所望のコンテンツを探すことが可能となる。
【０１８７】
また、検索用ＤＢ２２がコンテンツそのものも格納している場合、更新通知生成部２５ｄは、コンテンツ更新通知として、変更されたコンテンツそのものを用いてもよい。この場合、コンテンツ更新通知としてコンテンツが提供されるため、例えば、ユーザは、コンテンツ更新リストの中から所望のコンテンツを選択し、その選択した所望のコンテンツを入手するという作業を行わずに済み、操作性が向上する。
【０１８８】
さらに、本実施例は、以下に示すような例を含むことが望ましい。
【０１８９】
ユーザ端末装置１は、携帯電話機に限らない。図１２は、ユーザ端末装置１として、インターネット等の通信ネットワークに接続可能な通信端末装置１ｃおよび１ｄを用いた例を示したブロック図である。なお、図１２において、図１と同一構成のものには同一符号を付してある。
【０１９０】
また、専用アプリケーションは、ＣＰサーバ３または携帯電話機メーカによって提供されることが望ましい。ＣＰサーバ３が専用アプリケーションを提供する場合、携帯電話機１は、ＣＰサーバ３から専用アプリケーションをダウンロードすることが望ましい。一方、携帯電話機メーカが専用アプリケーションを提供する場合、専用アプリケーションは、携帯電話機１にプリインストールされていることが望ましい。
【０１９１】
また、上記の実施例では、専用アプリケーションを利用して嗜好データおよびユーザ情報の登録が行われるようにしたが、嗜好データおよびユーザ情報の登録は、専用アプリケーションを利用せずに行うようにしてもよい。
【０１９２】
例えば、携帯電話機１の制御部１６が、嗜好データおよびユーザ情報を示した電子メールをプッシュサーバ２に送信する送信処理を通信部１４に実行させ、通信部２１がその電子メールを受信すると、プッシュサーバ２のリスト生成部２５ａが、その電子メールに示された嗜好データおよびユーザ情報を格納部２３に格納してもよい。
【０１９３】
また、プッシュサーバ２が嗜好データおよびユーザ情報とを受け付ける受付画面を有し、携帯電話機１がその受付画面にアクセスして、その受付画面に嗜好データおよびユーザ情報を入力するようにしてもよい。なお、プッシュサーバ２は、受付画面で受け付けた嗜好データおよびユーザ情報を格納部２３に格納する。
【０１９４】
上記の実施例では、専用アプリケーションを利用して所望のコンテンツまたは所望のコンテンツの概要を入手するようにしたが、コンテンツまたはコンテンツの概要の入手は、専用アプリケーションを利用せずに行うようにしてもよい。
【０１９５】
例えば、コンテンツリストおよびコンテンツ更新リスト内に、リストに示されたコンテンツおよびコンテンツの概要を格納しているＣＰサーバ３のアクセス情報（例えば、ＣＰサーバ３のＵＲＬ）が表示されるようにし、携帯電話機１が、自己に搭載しているブラウザを利用して、そのアクセス情報に基づいてＣＰサーバ３にアクセスし、所望のコンテンツまたは所望のコンテンツの概要を入手するようにしてもよい。
【０１９６】
また、コンテンツリストおよびコンテンツ更新リストに示されたコンテンツ要求を、携帯電話機１が要求したコンテンツを電子メールで携帯電話機１に送信することをＣＰサーバ３に要求する旨のコンテンツ要求とし、このコンテンツ要求が選択されると、ＣＰサーバ３が、携帯電話機１が要求したコンテンツを電子メールで携帯電話機１に送信するようにしてもよい。
【０１９７】
また、コンテンツリストおよびコンテンツ更新リストに示された概要要求を、携帯電話機１が要求したコンテンツの概要を電子メールで携帯電話機１に送信することをＣＰサーバ３に要求する旨の概要要求とし、この概要要求が選択されると、ＣＰサーバ３が、携帯電話機１が要求したコンテンツの概要を電子メールで携帯電話機１に送信するようにしてもよい。
【０１９８】
また、ＣＰサーバ３が複数存在する場合、携帯電話機１は、複数のＣＰサーバ３からコンテンツを入手するようにしてもよい。なお、複数のＣＰサーバ３間でコンテンツのダウンロードの方式が異なっている場合、プッシュサーバ２が複数のＣＰサーバ３間のダウンロードの方式を統一すれば、携帯電話機１は、プッシュサーバ２によって統一されたダウンロードの方式で、複数のＣＰサーバ３からコンテンツを入手することが可能になる。
【０１９９】
また、ＣＰサーバ３が格納するコンテンツは、上記に限らず適宜変更可能である。例えば、ＣＰサーバ３は店に関するコンテンツを格納してもよい。具体的には、ＣＰサーバ３は、コンテンツとして、店の地図を格納してもよいし、店のクーポンを格納してもよい。
【０２００】
また、１つのＣＰサーバ３がプッシュサーバ２の機能を有してもよい。
【０２０１】
また、入力部１１は、ユーザによって入力されたテキスト形式の嗜好データを受け付けてもよい。また、入力部１１は、嗜好データを、コード（例えば、２次元バーコードまたは１次元バーコード）形式で受け付けてもよい。
【０２０２】
また、入力部１１は、予め携帯電話機１に登録されている嗜好データ候補の中からユーザによって選択された嗜好データを受け付けてもよい。
【０２０３】
この場合、嗜好データ候補は、ツリー構造のように段階に示されるようになっていてもよい。
【０２０４】
例えば、嗜好データ候補を、上位嗜好データ候補、中位嗜好データ候補、下位嗜好データ候補に分け、まず、ユーザに、上位嗜好データ候補の中から所望の嗜好データ候補を選択させ、続いて、その選択された上位嗜好データ候補に対応する中位嗜好データ候補の中から所望の嗜好データ候補を選択させ、続いて、その選択された中位嗜好データ候補に対応する下位嗜好データの中から所望の嗜好データを選択させる。入力部１１は、ユーザが選択した、上位嗜好データ候補と中位嗜好データ候補と下位嗜好データ候補とを、嗜好データとして受け付ける。
【０２０５】
また、本実施例では、リスト生成部２５ａと、変更認識部２５ｂと、検索用情報変更部２５ｃおよび更新通知生成部２５ｄとは、制御部２５内にまとめられているが、リスト生成部２５ａと、変更認識部２５ｂと、検索用情報変更部２５ｃおよび更新通知生成部２５ｄとは、別々に分かれていてもよい。
【０２０６】
本実施例によれば、以下の効果を奏する。
【０２０７】
ユーザが欲しいコンテンツを簡単に入手することが可能になる。その理由は、ユーザは、リスト生成部２５ａが生成したコンテンツリストと更新通知生成部２５ｄが生成したコンテンツ更新通知に基づいて、欲しいコンテンツを入手できるからである。
【０２０８】
ユーザはパケット代金を節約することが可能となる。その理由は、簡単に欲しいコンテンツを入手できるため、コンテンツを探すのに要するパケットを少なくできるからである。
【０２０９】
携帯電話機メーカまたはＣＰが、独自のコンテンツ配信システムとして本実施例を利用可能になる。このため、携帯電話メーカからのお知らせ、キャンペーン等の告知を行うことが可能となる。
【０２１０】
以上説明した実施例において、図示した構成は単なる一例であって、本発明はその構成に限定されるものではない。
【図面の簡単な説明】
【０２１１】
【図１】本発明の一実施例の情報提供システムを示したブロック図である。
【図２】携帯電話機１の一例を示したブロック図である。
【図３】ＣＰサーバ３の一例を示したブロック図である。
【図４】コンテンツ格納部３３の一例を示した説明図である。
【図５】コンテンツ格納部３３の他の例を示した説明図である。
【図６】プッシュサーバ２の一例を示したブロック図である。
【図７】検索用ＤＢ２２の一例を示した説明図である。
【図８】コンテンツリストの一例を示した説明図である。
【図９】コンテンツリストの他の例を示した説明図である。
【図１０】コンテンツリストのさらに他の例を示した説明図である。
【図１１】情報提供システムの動作を説明するためのシーケンス図である。
【図１２】本発明の他の実施例の情報提供システムを示したブロック図である。
【符号の説明】
【０２１２】
１ａ〜１ｄ  携帯電話機
１１        入力部
１２        表示部
１３        スピーカ
１４        通信部
１５        メモリ
１６        制御部
２          プッシュサーバ
２１        通信部
２２        検索用ＤＢ
２３        格納部
２４        メモリ
２５        制御部
２５ａ      リスト生成部
２５ｂ      更新通知生成部
２５ｃ      検索用情報変更部
２５ｄ      更新通知生成部
３ａ、３ｂ  ＣＰサーバ
３１        入力部
３２        通信部
３３        コンテンツ格納部
３４        メモリ
３５        制御部
４          携帯電話ネットワーク
５          通信ネットワーク
【図１】
2006039930.tif 000003
【図２】
2006039930.tif 000004
【図３】
2006039930.tif 000005
【図４】
2006039930.tif 000006
【図５】
2006039930.tif 000007
【図６】
2006039930.tif 000008
【図７】
2006039930.tif 000009
【図８】
2006039930.tif 000010
【図９】
2006039930.tif 000011
【図１０】
2006039930.tif 000012
【図１１】
2006039930.tif 000013
【図１２】
2006039930.tif 000014